(57)【要約】【課題】顧客の自覚の有無にかかわらず、その人の心身の症状に適した化粧料を、その香りによって的確に選択することのできる化粧料セットと、上記化粧料セットのなかから、顧客に適した化粧料を推奨する方法を提供する。【解決手段】人の心身の状態を、陰陽五行説にもとづく「木」、「火」、「土」、「金」、「水」の５つの要素のバランスとして捉え、上記５つの各要素ごとに、その要素のバランスがくずれた場合に現れる心身の不調を緩和もしくは解消させる効果を奏する香料組成物が調製され、それらが、所定の化粧料にそれぞれ配合されて、一まとまりの化粧料群となっている。【選択図】なし【特許請求の範囲】
【請求項１】
人の心身の状態を、陰陽五行説にもとづく「木」、「火」、「土」、「金」、「水」の５つの要素のバランスとして捉え、上記５つの各要素ごとに、その要素のバランスがくずれた場合に現れる心身の不調を緩和もしくは解消させる効果を奏する香料組成物が調製され、それらが、所定の化粧料にそれぞれ配合されて、一まとまりの化粧料群となっていることを特徴とする化粧料セット。
【請求項２】
請求項１記載の化粧料セットのなかから顧客に適した化粧料を推奨する方法であって、上記化粧料セットの各化粧料の香りを顧客に嗅がせ、顧客が最も強い印象を受けた香りの化粧料を、顧客に適した化粧料として推奨することを特徴とする化粧料の推奨方法。
【請求項３】
上記「木」、「火」、「土」、「金」、「水」の５つの各要素ごとに、その要素のバランスがくずれた場合に現れる心身の不調の状態と、対応する化粧料に配合される香料組成物による効果とが、一目でわかるよう表示された表示物を用意し、化粧料の香りを嗅いで顧客が最も強い印象を受けた香りに関する表示を、上記表示物により顧客に提示した上で、その香りの化粧料を顧客に推奨するようにした請求項２記載の化粧料の推奨方法。
【発明の詳細な説明】
【０００１】
【発明の属する技術分野】
本発明は、心身のバランスを保つのに優れた化粧料セットおよびその推奨方法に関するものである。
【０００２】
【従来の技術】
近年、健康に関する情報が氾濫しており、日常生活を支障なく送っている人でも、健康維持・管理のために、健康食品を摂取したり、トレーニングを行ったりしていることが多い。また、このような健康に敏感な層には、体全体のバランスを重視する東洋医学の人気が高く、漢方薬の愛用者が多い。
【０００３】
このような風潮を背景に、化粧品業界においても、漢方理論に基づく美肌の研究が進められており、生薬が配合された化粧料もいくつか提案されている（例えば、特開２０００−１０３７１８号公報等）。
【０００４】
【発明が解決しようとする課題】
しかしながら、上記生薬配合化粧料を化粧品販売店で販売する場合、本当にその顧客の症状に適した化粧料を推奨するには、販売員が漢方理論を熟知していることが必要であるが、大本の化粧品メーカーが、全国の化粧品販売店の各販売員に、充分な漢方理論についての教育を施すことは、多大な負担となり、実際には実現することがむずかしい。
【０００５】
そのため、簡単な問診等により、その顧客の肌の状態や体質を把握し、それらに適した生薬を含む化粧料を推奨して顧客の問題を解決できるようなマニュアルの確立が望まれているが、肌の状態や体質は、ストレス等の心の問題によっても大きな影響を受けており、また、本人が気づかない症状が潜伏している場合もあるため、必ずしも問診で判断された結果がベストな選択になるとは限らない。
【０００６】
本発明は、このような事情に鑑みなされたもので、顧客の自覚の有無にかかわらず、その人の心身の症状に適した化粧料を、その香りによって的確に選択することのできる化粧料セットと、上記化粧料セットのなかから、顧客に適した化粧料を推奨する方法の提供をその目的とする。
【０００７】
【課題を解決するための手段】
上記の目的を達成するため、本発明は、人の心身の状態を、陰陽五行説にもとづく「木」、「火」、「土」、「金」、「水」の５つの要素のバランスとして捉え、上記５つの各要素ごとに、その要素のバランスがくずれた場合に現れる心身の不調を緩和もしくは解消させる効果を奏する香料組成物が調製され、それらが、所定の化粧料にそれぞれ配合されて、一まとまりの化粧料群となっている化粧料セットを第１の要旨とする。
【０００８】
また、本発明は、上記化粧料セットのなかから顧客に適した化粧料を推奨する方法であって、上記化粧料セットの各化粧料の香りを顧客に嗅がせ、顧客が最も強い印象を受けた香りの化粧料を、顧客に適した化粧料として推奨する化粧料の推奨方法を第２の要旨とする。
【０００９】
そして、上記化粧料の推奨方法のなかでも、特に、上記「木」、「火」、「土」、「金」、「水」の５つの各要素ごとに、その要素のバランスがくずれた場合に現れる心身の不調の状態と、対応する化粧料に配合される香料組成物による効果とが、一目でわかるように表示された表示物を用意し、化粧料の香りを嗅いで顧客が最も強い印象を受けた香りに関する表示を、上記表示物により顧客に提示した上で、その香りの化粧料を顧客に推奨するようにした化粧料の推奨方法を第３の要旨とする。
【００１０】
【発明の実施の形態】
つぎに、本発明の一実施の形態について説明する。
【００１１】
まず、本発明の化粧料セットの考え方の基礎となる陰陽五行説について簡単に説明する。上記「陰陽五行説」とは、古代中国で生まれた自然哲学思想で、森羅万象の全てが「陰」と「陽」の２つの気で成り立っているという「陰陽説」と、「木」、「火」、「土」、「金」、「水」という気の５つの要素が、互いに影響を及ぼし合いながらバランスを保って存在しているという「五行説」とが融合された思想である。
【００１２】
本発明では、上記陰陽五行説にもとづき、人間の心身の状態を、上記「木」、「火」、「土」、「金」、「水」という気の５つの要素のバランスとして把握し、その自然なバランスを重視する東洋医学の考え方にならい、上記５つの要素のバランスを整えるのに優れた効果を奏する天然の香料組成物を、各要素ごとに調製し、これを、共通するベース組成の化粧料にそれぞれ配合することにより、一まとまりの化粧料セットを得るようにしたものである。
【００１３】
上記「木」、「火」、「土」、「金」、「水」の５つの要素のバランスがくずれた場合に表れる心身の症状と、その症状の緩和もしくは解消に有効な香りの説明とその組成を、以下に示す。
【００１４】
○「木」のバランスがくずれた場合
心の症状　：フラストレーション、イライラ、優柔不断
体の症状　：肩こり、筋肉のこわばり（肝臓・胆嚢・自律神経系）
香りの効果：平穏なこころとゆるぎない自信がもてるようにデザインされたクリーンで明るいリフレッシュ感のある香り。
香りの組成：ヤロー・ペパーミント・オレンジ・ネロリ・ラベンダー・グレープフルーツ・ベルガモット・ヘリクリサム
【００１５】
○「火」のバランスがくずれた場合
心の症状　：不安、浅い眠り、落ち込み
体の症状　：動悸、手足の冷え（心臓・小腸）
香りの効果：気持ちを高揚させたり、落ち着かせたりするようにデザインされた、甘くそしてスパイシーな香り。
香りの組成：イランイラン・ローズマリー・ローズウッド・ゼラニウム・ジンジャー・ブラックペッパー・ローレル
【００１６】
○「土」のバランスがくずれた場合
心の症状　：無力感、心配
体の症状　：腹痛、食欲不振、吐き気（胃袋・脾臓）
香りの効果：気力と包容力を高めるようにデザインされた香り。鬱蒼とした森を抱いているような滋養に満ち、湿り気を帯びた土をイメージさせる香り。
香りの組成：ベチバー・サンダルウッド・パチュリー・ミルラ・マジョラム・レモン・フランキンセンス・フェンネル・コリアンダー・カルダモン・ベンゾイン
【００１７】
○「金」のバランスがくずれた場合
心の症状　：疲労感、悲観
体の症状　：喉の痛み、風邪、下痢（肺・大腸）
香りの効果：決意を引き出し、意志を強固にするようデザインされた香り。突き刺さるようなクールな刺激、清潔な芳香で、どんな敵にも屈しない鉄の鎧で身を固めたような頼もしさを感じる香り。
香りの組成：タイム・ティーツリー・パイン・ヒソップ・ユーカリプタス・サイプレス・クラリセージ
【００１８】
○「水」のバランスがくずれた場合
心の症状　：落ち着きがなくなる、物忘れ
体の症状　：トイレが近い、足のむくみ（腎臓・膀胱）
香りの効果：世俗を清め、忍耐力を高めるようデザインされた香り。清水が、しぶきをあげて力強く流れ落ちる滝をイメージさせる香り。
香りの組成：ジュニパー・ジンジャー・サイプレス・カモミールローマン・ラバンディン・ゼラニウム・パインマルティン・シダー
【００１９】
そこで、上記５種類の要素のうち、いずれかの要素が不調で心身の症状が現われている顧客に対し、上記５種類の香りからなる香料組成物がそれぞれ配合された化粧料を紹介し、そのいずれかの化粧料の使用を推奨することができる。
【００２０】
なお、人間には、例えば、疲れると甘いものが欲しくなる、とか好きでもない野菜が急に食べたくなる、といった、自分の体に必要なものを欲するという潜在的な力が備わっている。そこで、本発明では、顧客に適した香りの化粧料を推奨するのに、従来のように、顧客に問診等を行うのではなく、直接、上記５種類の化粧料を、１つずつ顧客に嗅がせるようにする。そして、顧客が、最も印象深く感じた香りこそが、その顧客が必要としている香りである、と判断し、その化粧料を顧客に推奨する。そして、顧客が、推奨された化粧料を購入して、その化粧料の香りを日常的に繰り返し嗅ぐことにより、不調であった要素のバランスが改善され、顧客が抱えていた心身の症状が、緩和もしくは解消されるようになる。
【００２１】
つぎに、本発明を適用した化粧料セットの具体例について説明する。
【００２２】
図１は、上記５種類の、「木」、「火」、「土」、「金」、「水」の要素に対応した香料組成物をそれぞれ配合してなる、５種類のアロマオイルである。これらのアロマオイルは、容器本体１と蓋体２とからなる略円錐状の容器に収容されて、商品化されている。そして、各蓋体２の頂部には、平面視長丸状の板状体３が、側方に偏った状態で水平に取り付けられており、その上面に、それぞれ、「木」、「火」、「土」、「金」、「水」の文字４が表示され、どの要素のバランス改善に効果のあるアロマオイルであるかが、一目でわかるようになっている。
【００２３】
そして、上記アロマオイルには、別売りで、図２（ａ）で示す拡散具Ａが組み合わせられるようになっており、この拡散具Ａの吸い上げ棒１５を、図２（ｂ）に示すように、容器本体１の口部７内に差し込むことにより、毛細管現象によってアロマオイルを吸い上げ、上端部に取り付けられた多孔質体１６から微量ずつ、定量的に揮散できるようになっている。したがって、この拡散具Ａによれば、アロマオイルの香りを、一定の強さで長時間持続的に嗅ぐことができる。
【００２４】
上記アロマオイルの推奨も、すでに述べたように、顧客に、この５種類のアロマオイルの香りを順次嗅がせ、どの香りに強い印象をもったかによって、その顧客に適した香りのアロマオイルを特定して行うようにする。
【００２５】
上記の方法によれば、問診等のわずらわしいやりとりを経由することなく、香りを嗅いでもらう、という簡単な動作だけで、顧客の心身の症状に適した化粧料を特定することができる。そして、香りを基準にすることにより、顧客の自覚の有無にかかわらず、その顧客の心身の症状に最適な化粧料を選択することができるため、心身への効果が非常に大きいという利点を有する。
【００２６】
なお、上記「木」、「火」、「土」、「金」、「水」の５つの各要素ごとに、その要素のバランスがくずれた場合に現れる心身の不調の状態や、対応する香料組成物の特徴、効果等を、一目でわかるようまとめた表示物（シート、冊子、リーフレット等、形態はどのようなものであってもよい）を用意しておくことが好適である。
【００２７】
例えば、「木」、「火」、「土」、「金」、「水」の５つの各要素につき、１枚のシートごとに、上記の内容をまとめた表示物の例を、図３に示す。このものは、それらのシートのうち、「木」の要素についてまとめたもので、最上段に「陰陽五行とアロマ処方」という見出し１０が表示され、その下に、「木　イライラしたり、肩がコリやすい状態を心地よい安らぎといきいきとした力で満たします。」という、この要素に対応する香りの作用を説明する文１１が表示されている。
【００２８】
また、その下に、「木は「生命」「成長」「創造」のシンボル。」という見出し１２が設けられ、その下の左側に、心身の症状を示す表示欄１３が設けられ、その右側に、香りの効果と組成を示す表示欄１４が設けられている。
【００２９】
さらに、この「木」の要素に関連する情報として、「木は「肝」にあたります。」という文１５と、五臓のうち「木」の要素が支配する「肝」についての注意事項１６と、五味・五行のうち「木」の要素が支配する食べ物等についてのアドバイス１７とが表示されている。
【００３０】
したがって、「木」の香りの化粧料を選択した顧客に対し、このシートを提示して、香りの効能や、気をつけるべき症状、関連する情報等を示唆することにより、化粧料を推奨する根拠、役割等を顧客に理解させることができ、より行き届いた対応となる。
【００３１】
なお、上記の例では、陰陽五行説の気の５つの要素に対応して、５種類のアロマオイルを１まとまりの化粧料セットとしたが、この５種類とともに、さらに他の関連する化粧料を組み合わせることができる。例えば、「木」、「火」、「土」、「金」、「水」の５つの要素のバランスを保つことにより、心と体の健康を取り戻すことが、上記５種類のアロマオイルの目的であるが、さらに、魂（スピリット）をより高める香りとして、第６の香料組成物を用意し、先の５種類のアロマオイルと併せて、あるいは単独で用いることを推奨することができる。ちなみに、五行説にもとづく上記「木」、「火」、「土」、「金」、「水」の要素が、陰陽説では「地」に属するものであることから、これらがバランスを保った状態で、魂を昇華させるためにさらに用いる香り、という意味で、この第６の香料組成物を配合した化粧料に、例えば「宙」の文字を付して、組み合わせることができる。
【００３２】
また、本発明が適用される化粧料の種類は、上記アロマオイルに限らず、どのような化粧料であってもよいが、なかでも、直接香りを楽しむアロマオイルや、これをミスト状に噴射して香りを楽しむアロマスプレー等に適用することが、特に効果的である。また、シャンプー、コンディショナー、ボディソープ、乳液等に適用することも好適である。そして、これらの化粧料のベースとなる組成についても、特に限定するものではない。
【００３３】
【発明の効果】
以上のように、本発明の化粧料セットによれば、その香りを嗅ぐだけで、心身のバランスがくずれた部分を改善し、心身の不調を緩和もしくは解消することができる。そして、本発明の化粧料の推奨方法によれば、顧客に、上記化粧料セットの各化粧料の香りを嗅がせるという簡単な動作だけで、顧客の自覚の有無にかかわらず、その人の心身の症状に適した化粧料を、的確に特定して推奨することができるため、問診等の煩わしい手間が省ける。また、顧客にとっても、自分が強く惹かれる香りの化粧料を選択するだけで、心身に優れた効果を奏する化粧料を入手することができるという利点を有する。
【図面の簡単な説明】
【図１】本発明の一実施例の化粧料セットの説明図である。
【図２】（ａ）は上記化粧料セットと組み合わせて用いることのできる拡散具の説明図、（ｂ）はその使用態様の説明図である。
【図３】本発明の一実施例に用いることのできる表示物の説明図である。
【図１】
2004091371.tif 000002
【図２】
2004091371.tif 000003
【図３】
2004091371.tif 000004